(57)【要約】【課題】パーキンソン症候群患者の歩行障害を改善する。【解決手段】視線延長方向につばを有するつば付き帽子において、前記つば３が無色透明または有色透明な材料から形成される庇板３１を備え、庇板３１に設定間隔をおいて複数本の略水平な横線Ｌが描かれている。このつば付き帽子をパーキンソン症候群患者が装着することにより、視線延長方向に横線Ｌを目視することになり、床などの通路に描かれた線を踏ませるような視覚的な手掛かりとなり、すくみ足などの歩行障害を改善することができる。【選択図】図２
2011084831.tif 000002
【特許請求の範囲】
【請求項１】
少なくともつば部を有するつば付き帽子において、前記つば部が視野を遮るように無色透明または有色透明な材料から形成される庇板を備える一方、該庇板に一本または設定間隔をおいて複数本の略水平な横線を有することを特徴とするつば付き帽子。
【請求項２】
請求項１記載のつば付き帽子において、前記つば部の庇板に左右の目に対応して左右一対の縦線を有することを特徴とするつば付き帽子。
【発明の詳細な説明】
【技術分野】
【０００１】
この発明は、つば付き帽子に関するものである。
【背景技術】
【０００２】
一般に、パーキンソン病は、ふるえ、動作緩慢、小刻み歩行などを主な症状とし、主に４０歳から５０歳以降に発症し、ゆっくりと進行する原因不明の神経変性疾患である。このような症状において、歩行障害である小刻み歩行については、床に目印となる線などを引き、それを目標にして歩かせたり、障害物をまたがせたりすると、普通に大股で歩くことが可能であることが報告されている。
【０００３】
また、特許文献１に示すように、第一歩を踏み出す際の目印として地面に向けて線状光を照射し、これを目標として転倒することなく第一歩を踏み出すようにして、すくみ足（歩行開始時に第一歩を踏み出せない症状）を改善することも提案されている。
【先行技術文献】
【特許文献】
【０００４】
【特許文献１】特開２００５−３４５６８号公報
【発明の概要】
【発明が解決しようとする課題】
【０００５】
しかしながら、廊下などの通路に目印となる線を引くことは現実的ではない。また、特許文献１に示す線状光を照射する杖を用いる場合は、杖を把持する必要があるが、パーキンソン病患者が同時に二つの動作をする能力が低下することを考慮すれば、必ずしも使い勝手のよいものではない。しかも、杖と接触して歩行の妨げとなったり、姿勢保持反射障害のため、転倒時に杖と干渉して負傷するおそれもある。
【０００６】
本発明は、このような問題点に鑑みてなされたもので、パーキンソン病患者、さらには、パーキンソン症候群患者に見られるすくみ足などの歩行障害を改善することのできるつば付き帽子を提供するものである。
【課題を解決するための手段】
【０００７】
本発明は、少なくともつば部を有するつば付き帽子において、前記つば部が視野を遮るように無色透明または有色透明な材料から形成される庇板を備える一方、該庇板に一本または設定間隔をおいて複数本の略水平な横線を有することを特徴とするものである。
【０００８】
本発明によれば、パーキンソン症候群の患者が着用した場合、視野を遮って配置される透明な庇板を通して視覚を確保することができるとともに、庇板の横線を視認することができる。この際、庇板の横線が歩行開始時のきっかけとして機能し、すくみ足などの歩行障害を改善することができる。
【０００９】
本発明において、前記つば部の庇板に左右の目に対応して左右一対の縦線を有すると、左右の縦線によって視野を限定して横線への注視能力を高めることができることから、歩行障害改善効果をさらに向上させることができる。
【発明の効果】
【００１０】
本発明によれば、パーキンソン症候群患者に見られるすくみ足などの歩行障害を改善することができる。
【図面の簡単な説明】
【００１１】
【図１】本発明のつば付き帽子の一実施形態を示す斜視図である。
【図２】図１のつば付き帽子の使用状態を説明する側面図である。
【図３】図１のつば付き帽子の背面図である。
【図４】図１のつば付き帽子の変形例を示す斜視図である。
【発明を実施するための形態】
【００１２】
以下、本発明の実施の形態を図面に基づいて説明する。
【００１３】
図１乃至図３には、本発明のつば付き帽子１の一実施形態が示されている。
【００１４】
このつば付き帽子１は、上方より見て略Ｃ字状のバンド部２と、バンド部２の前方側下端縁部に一体に縫製されたつば部３とから構成されている。
【００１５】
バンド部２は、頭の周囲に沿うように、略Ｃ字状に湾曲させた板ばね（図示せず）および該板ばねの周囲を覆う布製袋体２１１からなる芯材２１と、芯材２１の布製袋体２１１と同一材料の布をＵ字状に折り返して形成された布製縁部２２とからなり、布製縁部２２を折り返し部が上下各端縁に位置するように、芯材２１の布製袋体２１１の上下各端縁にそれぞれ一体に縫製して形成されている。
【００１６】
つば部３は、有色透明の薄い樹脂製の庇板３１と、該庇板３１の周縁部に布製袋体２１１と同一材料の布をＵ字状に折り返して一体に縫製した布製周縁部３２とからなり、庇板３１の根元側が、バンド部２における額と接触する側の前方側円弧部に沿うように略半円弧状に切り欠かれている。そして、つば部３における庇板３１の根元側周縁部に縫製された布製周縁部３２が、バンド部２における下端側布製縁部２２の前方側円弧部前面に一体に縫製されている。
【００１７】
そして、つば部３の庇板３１には、上下方向に間隔をおいて複数本の横線Ｌが略水平方向に描かれている。
【００１８】
ここで、横線Ｌは、着用者の視界の範囲内において、略水平方向であればよく、また、その間隔は、視線方向に対して略一定であればよい。
【００１９】
これにより、つば付き帽子１を着用した場合、図３に示すように、透明な庇板３１を通して視界を確保することができるとともに、複数本の横線Ｌを視認することができる。
【００２０】
次に、このように構成されたつば付き帽子１の効果を確認するため、パーキンソン病と診断された５０歳代から７０歳代の患者１４例（男７例、女７例、平均年齢６７．７歳；以下、ＰＤ群と略記する。）と、パーキンソニズムが認められ、病歴、神経学的所見、頭部ＭＲＩ所見から臨床的に血管性パーキンソン症候群と診断された５０歳代から８０歳代の患者２４例（男１１例、女１３例、平均年齢７４．３歳；以下、ＶＰ群と略記する。）を被験者とし、各被験者について、図１のつば付き帽子１の着用前および着用後において、１０ｍの直線歩行に要した時間を測定した。また、比較例として神経学的に異常のない４０歳代から５０歳代の健常者１６例（男７例、女９例、平均年齢５４．５歳；以下、正常群という。）を被験者とし、同様に、図１のつば付き帽子１の着用前および着用後において、１０ｍの直線歩行に要した時間を測定した。その結果を表１に示す。
【００２１】
【表１】
2011084831.tif 000003
【００２２】
１０ｍの直線歩行に要した時間は、ＰＤ群では、帽子着用前（平均１５．２秒）よりも着用後（平均１４．６秒）に早くなる傾向が見られ、１４例中８例（５７％）に１秒〜１０秒の改善が見られた。ＶＰ群では、帽子着用前（平均２４．８秒）よりも着用後（平均２３．５秒）に早くなる傾向が見られ、２４例中１３例（５４％）に１秒から１５秒の明らかな改善が見られた。それに対し、正常群においては、帽子着用前（平均７．１秒）と、着用後（平均７．１秒）とに変化はなかった。
【００２３】
なお、患者群には、比較的軽症の患者も含まれていたため、ＰＤ群のうち、すくみ足の明らかな８例で検討すると、帽子着用前（平均１８．５秒）よりも着用後（平均１７．０秒）と改善率は統計的に有意に改善した。
【００２４】
良好に計画されたリハビリテーションで、片麻痺患者の歩行速度が０．１ｍ／ｓ早くなるとの報告に基づけば、歩行時間が１秒以上、あるいは、１０％以上改善があったものを改善例と判定することができる。したがって、図１のつば付き帽子１を着用することにより、良好に計画されたリハビリテーションと同等の歩行障害改善効果を得ることができ、視覚的手掛かりとしての有用性を確認することができた。しかも、パーキンソン病の薬物療法の場合のように、治療薬による副作用を発生することもない。
【００２５】
図４には、本発明のつば付き帽子１の一実施形態の変形例が示されている。
【００２６】
この変形例のつば付き帽子１は、図１に示したつば付き帽子１において、庇板３１に横線Ｌとともに、左右の目に対応して上下方向に延びる縦線Ｌ１を描いたものである。
【００２７】
この変形例のつば付き帽子１においては、縦線Ｌ１によって視野を狭めることで視界前方の横線Ｌへの注視能力を高めることが期待でき、図１のつば付き帽子１の歩行障害改善効果をさらに向上させるものとなる。
【００２８】
なお、前述した実施形態においては、バンド部２とつば部３とからなるつば付き帽子１を例示したが、つば部３を備えていればよく、必ずしも実施形態に限定するものではない。例えば、詳細には図示しないが、バンド部２に代えてクラウン部を有するキャップやハットであってもよい。この場合、つば部３の一部、すなわち、視野を遮る位置に庇板３１を設けるようにしてもよい。
【００２９】
また、つば部３における庇板３１に描かれた横線Ｌあるいは横線Ｌおよび縦線Ｌ１としては、塗料を塗布して描く他、テープを貼着してもよく、また、庇板３１の成形に際して異なる顔料を用いて一体に成形したり、異なる材料を用いてインサート成形することもできる。
【００３０】
さらに、つば部３の庇板３１としては、有色透明の樹脂からなるものを例示したが、無色透明であっても構わない。
【符号の説明】
【００３１】
１  つば付き帽子
２  バンド部
２１  布製袋体
２２  布製縁部
３  つば部
３１  庇板
３２  布製周縁部
Ｌ  横線
Ｌ１  縦線
【図１】
2011084831.tif 000004
【図２】
2011084831.tif 000005
【図３】
2011084831.tif 000006
【図４】
2011084831.tif 000007